(57)【要約】【課題】身体の姿勢を的確に分析し，診断するための身体の姿勢診断支援システムをすること。【解決手段】身体の姿勢診断支援システム１は，被験者を撮影して姿勢画像を取得するカメラ３３１を接続したスレーブ端末３０と，双方向通信を可能とする通信ネットワーク２０を介してスレーブ端末３０と接続された姿勢診断サーバー４０と，姿勢診断サーバー４０にアクセス可能な状態で接続した管理端末５０とを有してなるシステムである。姿勢診断サーバー４０は，姿勢画像を格納する画像データベースと，姿勢画像を基にした診断結果を生成するための知識である診断知識を格納した診断データベースと，診断知識を参照して診断画像に対する診断結果を生成する診断結果生成手段とを有してなる。【選択図】  図１
2005000301.tif 000002
【特許請求の範囲】
【請求項１】
被験者を撮影して姿勢画像を取得するカメラを接続したスレーブ端末と，双方向通信を可能とする通信ネットワークを介して上記スレーブ端末と接続された姿勢診断サーバーと，該姿勢診断サーバーにアクセス可能な状態で接続した管理端末とを有してなり，
上記スレーブ端末は，上記カメラから上記姿勢画像を入力する画像データ入力手段と，上記被験者の属性を表す属性情報を入力する属性情報入力手段と，少なくとも上記姿勢画像及び上記属性情報を上記姿勢診断サーバーに送信する画像送信手段と，上記姿勢診断サーバーから診断結果を受信する診断結果受信手段と，上記診断結果を表示する診断結果表示手段とを有してなり，
上記姿勢診断サーバーは，少なくとも上記姿勢画像及び上記属性情報を上記スレーブ端末から受信するデータ受信手段と，上記属性情報と関連付けした上記姿勢画像を格納する画像データベースと，上記姿勢画像を基にした上記診断結果を生成するための知識である診断知識を格納した診断データベースと，上記診断知識を参照して上記診断画像に対する上記診断結果を生成する診断結果生成手段と，上記診断結果を上記スレーブ端末に送信する診断結果送信手段とを有してなり，
上記管理端末は，上記姿勢診断サーバーの上記画像データベースに格納したデータにアクセスするための画像アクセス手段と，上記診断データベースに格納した上記診断知識を編集するための知識編集手段とを有してなることを特徴とする身体の姿勢診断支援システム。
【請求項２】
請求項１において，上記スレーブ端末は，上記診断結果の生成に利用する姿勢情報を，上記姿勢画像から抽出する作業を支援する抽出支援手段を有してなると共に，上記画像送信手段を介して，上記姿勢情報を送信するように構成してあり，
上記姿勢診断サーバーの上記診断結果生成手段は，上記姿勢情報に基づいて上記診断データベースに格納した上記診断知識を参照して上記診断結果を生成するように構成してあることを特徴とする身体の姿勢診断支援システム。
【請求項３】
請求項１において，上記姿勢診断サーバーは，上記診断結果の生成に利用する姿勢情報を，上記姿勢画像から抽出する画像処理手段を有してなると共に，上記画像送信手段を介して，上記姿勢情報を送信するように構成してあり，
上記姿勢診断サーバーの上記診断結果生成手段は，上記姿勢情報に基づいて上記診断データベースに格納した上記診断知識を参照して上記診断結果を生成するように構成してあることを特徴とする身体の姿勢診断支援システム。
【請求項４】
被験者を撮影して姿勢画像を取得するカメラを接続したスレーブ端末と，双方向通信を可能とする通信ネットワークを介して上記スレーブ端末と接続された姿勢診断サーバーと，該姿勢診断サーバーにアクセス可能な状態で接続した管理端末とを有してなり，
上記スレーブ端末は，上記カメラから上記姿勢画像を入力する画像データ入力手段と，上記被験者の属性を表す属性情報を入力する属性情報入力手段と，少なくとも上記姿勢画像及び上記属性情報を上記姿勢診断サーバーに送信する画像送信手段と，診断結果を表示する診断結果表示手段と，上記診断結果を生成する診断結果生成手段と，上記姿勢画像を基にした上記診断結果を生成するための知識である診断知識を格納した診断データベースと，上記診断知識を更新するための更新データを上記姿勢診断サーバーから受信する更新データ受信手段とを有してなり，
上記姿勢診断サーバーは，少なくとも上記姿勢画像及び上記属性情報を上記スレーブ端末から受信するデータ受信手段と，上記属性情報と関連付けした上記姿勢画像を格納する画像データベースと，上記スレーブ端末が有する上記診断知識を更新するための更新データを送信する更新データ送信手段とを有してなり，
上記管理端末は，上記姿勢診断サーバーの上記画像データベースに格納したデータにアクセスするための画像アクセス手段と，上記更新データ送信手段により送信する上記更新データを編集するための更新データ編集手段とを有してなることを特徴とする身体の姿勢診断支援システム。
【請求項５】
請求項４において，上記スレーブ端末は，上記診断結果の生成に利用する姿勢情報を，上記姿勢画像から抽出する作業を支援する抽出支援手段を有してなり，
上記スレーブ端末の上記診断結果生成手段は，上記姿勢情報に基づいて上記診断データベースに格納した上記診断知識を参照して上記診断結果を生成するように構成してあることを特徴とする身体の姿勢診断支援システム。
【請求項６】
請求項４において，上記スレーブ端末は，上記診断結果の生成に利用する姿勢情報を，上記姿勢画像から抽出する画像処理手段を有してなり，
上記姿勢診断サーバーの上記診断結果生成手段は，上記姿勢情報に基づいて上記診断データベースに格納した上記診断知識を参照して上記診断結果を生成するように構成してあることを特徴とする身体の姿勢診断支援システム。
【請求項７】
請求項１〜６のいずれか１項において，上記姿勢診断サーバーと上記管理端末とは，上記通信ネットワークを介して接続してあることを特徴とする身体の姿勢診断支援システム。
【請求項８】
請求項１〜７のいずれか１項において，上記姿勢診断サーバーは，上記画像データベース内に格納したデータを検索する検索手段を有してなることを特徴とする身体の姿勢診断支援システム。
【請求項９】
請求項８において，上記管理端末の上記画像アクセス手段は，上記姿勢診断サーバーの上記検索手段の機能を特定するための検索条件を入力する検索条件入力手段と，上記検索条件を上記姿勢診断サーバーに送信する検索条件送信手段と，上記姿勢診断サーバーから上記検索条件に適合したデータを受信する検索データ受信手段とを有してなることを特徴とする身体の姿勢診断支援システム。
【請求項１０】
請求項１〜９のいずれか１項において，上記診断結果は，筋肉及び経絡のうち問題のある部位の名称と，該問題のある部位を改善するために適切な運動療法又は，上記被験者に適切な運動処方の運動メニューとを有してなることを特徴とする身体の姿勢診断支援システム。
【請求項１１】
請求項１〜１０のいずれか１項において，上記通信ネットワークは，不特定の者が利用可能な電気通信回線よりなることを特徴とする身体の姿勢診断支援システム。
【請求項１２】
請求項１〜１０のいずれか１項において，上記通信ネットワークは，特定の者のみ利用可能な電気通信回線よりなることを特徴とする身体の姿勢診断支援システム。
【請求項１３】
請求項１〜１２のいずれか１項において，上記スレーブ端末は，上記被験者のカルテ情報を管理するカルテ管理手段を有してなることを特徴とする身体の姿勢診断支援システム。
【発明の詳細な説明】
【０００１】
【技術分野】
本発明は，例えば，整体治療（カイロプラクティック療法）や，運動によって身体バランスを回復する運動療法，運動処方等を的確に行うために必要な姿勢診断を，容易かつ精度良く実施するための身体の姿勢診断支援システムに関する。
【０００２】
【従来技術】
近年，ワープロ入力オペレータやＣＡＤオペレータ等，オフィス作業に従事する作業者の増大やその作業時間の長時間化に伴って，筋力のアンバランス等に起因した身体の歪み等，整体的な身体バランスを欠く人が増加傾向にある。
このような身体的なアンバランスの問題は，整体矯正治療具（例えば，特許文献１参照。）を用いた整体療法や運動療法などにより治療することができる。
ここで，上記の整体療法や運動療法や運動処方を的確に処方するためには，身体の姿勢を的確に分析し，診断することが基本となる。
【０００３】
【特許文献１】
特開２００１−３４０４１７号公報（明細書の段落番号「００１９」〜「００２３」，第１図）
【０００４】
【解決しようとする課題】
しかしながら，上記従来の身体の姿勢診断には，次のような問題がある。すなわち，姿勢の分析や診断では，診断者の経験や知識等が重要な要素をなし，診断者によって診断結果が一定しないおそれがある。
そのため，上記整体療法や運動療法や運動処方等によって得られる効果は，身体の姿勢を分析し，診断する診断者の優劣や，経験の多少によって大きく相違していた。
【０００５】
本発明は，かかる従来の問題点に鑑みてなされたもので，身体の姿勢を的確に分析し，診断するための身体の姿勢診断支援システムを提供しようとするものである。
【０００６】
【課題の解決手段】
第１の発明は，被験者を撮影して姿勢画像を取得するカメラを接続したスレーブ端末と，双方向通信を可能とする通信ネットワークを介して上記スレーブ端末と接続された姿勢診断サーバーと，該姿勢診断サーバーにアクセス可能な状態で接続した管理端末とを有してなり，
上記スレーブ端末は，上記カメラから上記姿勢画像を入力する画像データ入力手段と，上記被験者の属性を表す属性情報を入力する属性情報入力手段と，少なくとも上記姿勢画像及び上記属性情報を上記姿勢診断サーバーに送信する画像送信手段と，上記姿勢診断サーバーから診断結果を受信する診断結果受信手段と，上記診断結果を表示する診断結果表示手段とを有してなり，
上記姿勢診断サーバーは，少なくとも上記姿勢画像及び上記属性情報を上記スレーブ端末から受信するデータ受信手段と，上記属性情報と関連付けした上記姿勢画像を格納する画像データベースと，上記姿勢画像を基にした上記診断結果を生成するための知識である診断知識を格納した診断データベースと，上記診断知識を参照して上記診断画像に対する上記診断結果を生成する診断結果生成手段と，上記診断結果を上記スレーブ端末に送信する診断結果送信手段とを有してなり，
上記管理端末は，上記姿勢診断サーバーの上記画像データベースに格納したデータにアクセスするための画像アクセス手段と，上記診断データベースに格納した上記診断知識を編集するための知識編集手段とを有してなることを特徴とする身体の姿勢診断支援システムにある（請求項１）。
【０００７】
上記第１の発明の身体の姿勢診断支援システムにおいては，上記スレーブ端末は，該スレーブ端末に接続した上記カメラを用いて撮影した上記姿勢画像を，上記姿勢診断サーバーに送信するように構成してある。
そして，この姿勢診断サーバーは，上記姿勢画像を基にした上記診断結果を生成し，上記通信ネットワークを介して，上記診断結果を上記スレーブ端末に送信するように構成してある。
【０００８】
そのため，オペレータ（姿勢分析官）は，上記スレーブ端末を操作することで，上記姿勢診断サーバが生成した上記診断結果を取得することができる。
それ故，上記スレーブ端末のオペレータ（姿勢分析官）は，上記スレーブ端末に表示された上記診断結果に基づいて，被験者に対して適切なアドバイスをすることができる。
すなわち，上記身体の姿勢診断支援システムでは，姿勢分析官は，スレーブ端末を操作する手順を知っており，該スレーブ端末を操作できれば十分である。
なお，ここで，上記姿勢画像を基にした上記診断結果を生成するに当たっては，上記姿勢画像から抽出した中間的な情報を介して間接的に生成しても良く，上記姿勢画像から直接的に生成することもできる。
【０００９】
また，上記姿勢診断サーバーは，上記診断データベースに格納した上記診断知識を参照して，上記姿勢画像を基にした上記診断結果を生成するように構成してある。
そのため，上記姿勢診断サーバーは，上記診断知識を参照することで，上記姿勢画像を基にして均一性高く上記診断結果を生成することができる。
【００１０】
一方，上記管理端末は，上記画像データベースに格納した上記姿勢画像を取得可能に構成してあると共に，上記診断データベースに格納した上記診断知識を編集可能なように構成してある。
そのため，上記管理端末のオペレータ（管理者）は，例えば，上記スレーブ端末から上記姿勢診断サーバーにアップロードされた上記姿勢画像等の解析や研究を通じて新たな知見を得ることができる。
そして，この知見を反映するよう上記診断知識を編集し，該診断知識の精度を高くすることで，生成する上記診断結果の品質をさらに向上することができる。
【００１１】
したがって，上記身体の姿勢診断支援システムにおいては，上記スレーブ端末では，最新の上記診断知識に基づく，品質の高い上記診断結果を得ることができる。
つまり，本発明の身体の姿勢診断支援システムは，上記画像データベースに格納した上記姿勢画像を基にして，上位スレーブ端末に提示する上記診断結果の品質を向上し得る発展性の高い姿勢診断支援システムである。
【００１２】
第２の発明は，被験者を撮影して姿勢画像を取得するカメラを接続したスレーブ端末と，双方向通信を可能とする通信ネットワークを介して上記スレーブ端末と接続された姿勢診断サーバーと，該姿勢診断サーバーにアクセス可能な状態で接続した管理端末とを有してなり，
上記スレーブ端末は，上記カメラから上記姿勢画像を入力する画像データ入力手段と，上記被験者の属性を表す属性情報を入力する属性情報入力手段と，少なくとも上記姿勢画像及び上記属性情報を上記姿勢診断サーバーに送信する画像送信手段と，診断結果を表示する診断結果表示手段と，上記診断結果を生成する診断結果生成手段と，上記姿勢画像を基にした上記診断結果を生成するための知識である診断知識を格納した診断データベースと，上記診断知識を更新するための更新データを上記姿勢診断サーバーから受信する更新データ受信手段とを有してなり，
上記姿勢診断サーバーは，少なくとも上記姿勢画像及び上記属性情報を上記スレーブ端末から受信するデータ受信手段と，上記属性情報と関連付けした上記姿勢画像を格納する画像データベースと，上記スレーブ端末が有する上記診断知識を更新するための更新データを送信する更新データ送信手段とを有してなり，
上記管理端末は，上記姿勢診断サーバーの上記画像データベースに格納したデータにアクセスするための画像アクセス手段と，上記更新データ送信手段により送信する上記更新データを編集するための更新データ編集手段とを有してなることを特徴とする身体の姿勢診断支援システムにある（請求項４）。
【００１３】
上記第２の発明の身体の姿勢診断支援システムにおいては，上記スレーブ端末は，該スレーブ端末に接続した上記カメラを用いて撮影した上記姿勢画像を，上記姿勢診断サーバーに送信するように構成してある。
さらに，このスレーブ端末は，上記診断知識を参照して，上記姿勢画像を基にした上記診断結果を生成する上記診断結果生成手段を有してなる。
【００１４】
そのため，オペレータ（姿勢分析官）は，上記スレーブ端末を操作することで，該スレーブ端末が生成した上記診断結果を取得することができる。
なお，ここで，上記姿勢画像を基にした上記診断結果を生成するに当たっては，上記姿勢画像から抽出した中間的な情報を介して間接的に生成しても良く，上記姿勢画像から直接的に生成することもできる。
【００１５】
一方，上記管理端末は，上記画像データベースに格納した上記姿勢画像を取得可能に構成してある。
そのため，上記管理端末のオペレータ（管理者）は，例えば，上記スレーブ端末から上記姿勢診断サーバーにアップロードされた上記姿勢画像等の解析や研究を通じて新たな知見を得ることができる。
【００１６】
さらに，上記管理端末は，上記姿勢診断サーバーの上記更新データ送信手段から送信する上記更新データを編集する上記更新データ編集手段を有してなる。
そのため，上記の知見に基づいて編集した上記更新データを，上記更新データ送信手段を介して，上記各スレーブ端末に送信することができる。
それ故，各スレーブ端末は，上記知見が反映された最新の上記診断知識を取得することができる。
【００１７】
したがって，上記身体の姿勢診断支援システムにおいては，上記スレーブ端末では，最新の上記診断知識に基づいて品質の高い上記診断結果を生成することができる。
つまり，本発明の身体の姿勢診断支援システムは，上記画像データベースに格納した上記姿勢画像を基にして，上位スレーブ端末に提示する上記診断結果の品質を向上し得る発展性の高い姿勢診断支援システムである。
【００１８】
【発明の実施の形態】
上記第１及び第２の発明の身体の姿勢診断支援システムでは，上記通信ネットワークとしては，周知のインターネットや，イントラネット等のネットワークを利用することができる。
また，上記姿勢診断サーバーには，上記姿勢画像を基にして上記診断結果を生成するための周知のエキスパートシステム（エキスパートたる専門家の判断手法を模した人工知能的な計算手法）を構築することもできる。
この場合には，上記エキスパートシステムにより，上記姿勢画像を基にした姿勢の分析，診断を効率良く実施することができる。
【００１９】
なお，上記エキスパートシステムのほか，遺伝的アルゴリズム（Ｇｅｎｅｔｉｃ  Ａｌｇｏｒｉｔｈｍ），ニューラルネットワークなど種々の人工知能的な計算手法を適用することができる。これらの計算手法によれば，上記姿勢画像の画像情報から直接的に，上記診断結果を生成することもできる。
【００２０】
上記第１の発明においては，上記スレーブ端末は，上記診断結果の生成に利用する姿勢情報を，上記姿勢画像から抽出する作業を支援する抽出支援手段を有してなると共に，上記画像送信手段を介して，上記姿勢情報を送信するように構成してあり，
上記姿勢診断サーバーの上記診断結果生成手段は，上記姿勢情報に基づいて上記診断データベースに格納した上記診断知識を参照して上記診断結果を生成するように構成してあることが好ましい（請求項２）。
この場合には，上記スレーブ端末を操作するオペレータ（姿勢分析官）は，上記抽出支援手段を利用して，精度の高い上記姿勢情報を効率良く形成することができる。
そして，上記姿勢画像から抽出した中間情報としての上記姿勢情報に基づけば，上記診断結果を効率良く生成することができる。
【００２１】
また，上記姿勢診断サーバーは，上記診断結果の生成に利用する姿勢情報を，上記姿勢画像から抽出する画像処理手段を有してなると共に，上記画像送信手段を介して，上記姿勢情報を送信するように構成してあり，
上記姿勢診断サーバーの上記診断結果生成手段は，上記姿勢情報に基づいて上記診断データベースに格納した上記診断知識を参照して上記診断結果を生成するように構成してあることが好ましい（請求項３）。
この場合には，上記画像処理手段により，効率良く上記姿勢情報を取得することができる。
【００２２】
なお，上記画像処理手段としては，何ら作為を施していない上記姿勢画像に基づいて画像処理する手段の他，作為的に撮影した姿勢画像を基にして画像処理する手段がある。例えば，スリット光を投光しながら撮影した上記被写体の姿勢画像を，上記スリット光による縞模様を利用して画像処理する手段や，所定のマーキングを貼付した上記被写体の姿勢画像を，上記マーキングを利用して画像処理する手段などがある。
【００２３】
その他，撮影位置が相違する２枚或いは３枚一組のステレオ画像としての姿勢画像を撮影し，該姿勢画像を上記姿勢診断サーバーに送信するように上記姿勢診断支援システムを構成することもできる。
この場合には，姿勢診断サーバーは，２枚或いは３枚一組のステレオ画像としての上記姿勢画像を基にして，撮影された被験者の立体情報を復元し，該立体情報に基づいて上記姿勢情報を生成することができる。
【００２４】
上記第２の発明においては，上記スレーブ端末は，上記診断結果の生成に利用する姿勢情報を，上記姿勢画像から抽出する作業を支援する抽出支援手段を有してなり，
上記スレーブ端末の上記診断結果生成手段は，上記姿勢情報に基づいて上記診断データベースに格納した上記診断知識を参照して上記診断結果を生成するように構成してあることが好ましい（請求項５）。
この場合には，上記スレーブ端末を操作するオペレータ（姿勢分析官）は，上記抽出支援手段を利用して，精度の高い上記姿勢情報を効率良く形成することができる。
そして，上記姿勢画像から抽出した中間情報としての上記姿勢情報に基づけば，上記診断結果生成手段を用いて，上記診断結果を効率良く生成することができる。
【００２５】
また，上記スレーブ端末は，上記診断結果の生成に利用する姿勢情報を，上記姿勢画像から抽出する画像処理手段を有してなり，
上記姿勢診断サーバーの上記診断結果生成手段は，上記姿勢情報に基づいて上記診断データベースに格納した上記診断知識を参照して上記診断結果を生成するように構成してあることが好ましい（請求項６）。
この場合には，上記画像処理手段により，効率良く上記姿勢情報を取得することができる。
【００２６】
上記第１及び第２の発明においては，上記姿勢診断サーバーと上記管理端末とは，上記通信ネットワークを介して接続してあることが好ましい（請求項７）。
この場合には，上記姿勢診断サーバーとは別の場所に設置した上記管理端末により，上記姿勢診断サーバーの有する上記画像データベースや上記診断データベースへのアクセスが可能になる。
【００２７】
また，上記姿勢診断サーバーは，上記画像データベース内に格納したデータを検索する検索手段を有してなることが好ましい（請求項８）。
この場合には，上記検索手段を利用して，上記画像データベースから特定の情報を効率良く検索することができる。
【００２８】
また，上記管理端末の上記画像アクセス手段は，上記姿勢診断サーバーの上記検索手段の機能を特定するための検索条件を入力する検索条件入力手段と，上記検索条件を上記姿勢診断サーバーに送信する検索条件送信手段と，上記姿勢診断サーバーから上記検索条件に適合したデータを受信する検索データ受信手段とを有してなることが好ましい（請求項９）。
この場合には，上記管理端末は，上記姿勢診断サーバーの上記検索手段を遠隔操作して，上記画像データベースのデータ中から必要なデータを収集することができる。
【００２９】
また，上記診断結果は，筋肉及び経絡のうち問題のある部位の名称と，該問題のある部位を改善するために適切な運動療法又は，上記被験者に適切な運動処方の運動メニューとを有してなることを特徴とすることが好ましい（請求項１０）。
この場合には，上記スレーブ端末のオペレータ（姿勢分析官）は，上記診断結果に基づいて，適切かつ有効なアドバイスを上記被験者に提示することができる。
ここで，上記運動療法とは，積極的に運動を実施して，筋肉や経絡等，問題のある部位を改善する治療方法である。そして，運動療法の運動メニューとは，運動療法で実施する運動の種類，実施する方法等を含む情報である。
また，上記運動処方とは，健常者が，その健全な状態を維持するために運動を実施することをいう。そして，運動処方の運動メニューとは，運動処方で実施する運動の種類，実施する方法等を含む情報である。
【００３０】
また，上記通信ネットワークは，不特定の者が利用可能な電気通信回線よりなることが好ましい（請求項１１）。
この場合には，公衆の上記通信ネットワークを介して，効率良く上記身体の姿勢診断支援システムを構築することができる。
【００３１】
また，上記通信ネットワークは，特定の者のみ利用可能な電気通信回線よりなることが好ましい（請求項１２）。
この場合には，セキュリティ面での安全性高く上記身体の姿勢診断支援システムを構築することができる。また，該姿勢診断支援システムに特化して上記通信ネットワークを構成することで，上記システムの最適設計を実現することができる。
【００３２】
また，上記スレーブ端末は，上記被験者のカルテ情報を管理するカルテ管理手段を有してなることが好ましい（請求項１３）。
この場合には，上記スレーブ端末を利用して診断した上記被験者のカルテを，上記カルテ管理手段を用いて一元管理することができる。
【００３３】
【実施例】
（実施例１）
本例は，身体の姿勢診断支援システム１を説明する例である。この内容について，図１〜図７を用いて説明する。
本例の身体の姿勢診断支援システム１は，図１に示すごとく，被験者を撮影して姿勢画像を取得するカメラ３３１を接続したスレーブ端末３０と，双方向通信を可能とする通信ネットワーク２０を介してスレーブ端末３０と接続された姿勢診断サーバー４０と，該姿勢診断サーバー４０にアクセス可能な状態で接続した管理端末５０とを有してなるシステムである。
【００３４】
上記スレーブ端末３０は，図２に示すごとく，カメラ３３１から姿勢画像を入力する画像データ入力手段３３と，上記被験者の属性を表す属性情報を入力する属性情報入力手段３２と，少なくとも姿勢画像及び属性情報を姿勢診断サーバー４０に送信する画像送信手段３１と，上記姿勢診断サーバー４０から診断結果を受信する診断結果受信手段３４と，上記診断結果を表示する診断結果表示手段３５とを有してなる。
【００３５】
上記姿勢診断サーバー４０は，図３に示すごとく，少なくとも姿勢画像及び属性情報をスレーブ端末３０から受信するデータ受信手段４３と，上記属性情報と関連付けした姿勢画像を格納する画像データベース４３１と，姿勢画像を基にした診断結果を生成するための知識である診断知識を格納した診断データベース４５１と，診断知識を参照して診断画像に対する診断結果を生成する診断結果生成手段４５と，上記診断結果をスレーブ端末３０に送信する診断結果送信手段４４とを有してなる。
【００３６】
上記管理端末５０は，図４に示すごとく，姿勢診断サーバー４０の画像データベース４３１に格納したデータにアクセスするための画像アクセス手段５１と，診断データベース４５１に格納した診断知識を編集するための知識編集手段５２とを有してなる。
この内容について，以下に詳しく説明する。
【００３７】
本例の身体の姿勢診断支援システム１では，図１に示すごとく，通信ネットワーク２０としては，周知のインターネット回線を利用している。
そして，本例の姿勢診断支援システム１は，この通信ネットワーク２０を介して，複数のスレーブ端末３０と，姿勢診断サーバー４０と，管理端末５０とを相互に通信可能なように接続してなるシステムである。
【００３８】
上記スレーブ端末３０は，図１に示すごとく，整体療法を実施する治療院，接骨院，病院等の治療機関や，運動療法や運動処方を実施するスポーツクラブ，会社組織の健康管理室，学校などの検診所等，さまざまな施設に設置する端末である。
さらに，ホテル等の施設におけるサービス拡充の一環として，宿泊客の健康管理を実施するサービスを提供するために本例のスレーブ端末３０を設置することもできる。
なお，スレーブ端末３０は，固定設置するように構成しても良いが，手持ち可能に構成しても良い。この場合には，姿勢分析官による出張診断や，本例のシステムのプレゼンテーションが可能になる。
【００３９】
そして，このスレーブ端末３０は，所定のトレーニングを受けた姿勢分析官が，端末オペレータとして操作するように構成してある。
スレーブ端末３０は，図２に示すごとく，画像データ入力手段３３，属性情報入力手段３２，画像送信手段３１，診断結果受信手段３４，診断結果表示手段３５のほか，被験者の個人情報データを格納したカルテデータベース３６０と，該カルテデータベース３６０内に格納したカルテを管理するためのカルテ管理手段３６と，姿勢画像から姿勢情報を抽出する作業負担を低減する抽出支援手段３７とを有している。
【００４０】
画像データ入力手段３３は，例えば，ＵＳＢポートを介して接続したカメラ３３１で採取した画像データを入力する手段である。
この画像入力手段３３は，スレーブ端末３０のオペレータである姿勢分析官が入力するキャプチャ信号をトリガーとして，カメラ３３１から受信したデジタル画像データを取り込むように構成してある。
【００４１】
なお，本例では，カメラ３３１としては，ＣＣＤ撮像素子を利用したカメラを利用したが，これに代えて，ＣＭＯＳ撮像素子よりなるカメラを利用することもできる。
また，本例では，姿勢画像としては，被験者ひとりに対して，それぞれ正面画像，側面画像，背面画像よりなる３枚の画像を撮影した。
【００４２】
ここで，スレーブ端末３０から姿勢診断サーバー４０に送信する姿勢画像としては，被験者の顔をマスク処理した画像とすることもできる。
この場合には，被験者のプライバシーを確実に保護することができる。
上記マスク処理の方法としては，例えば，スレーブ端末３０を操作する姿勢分析官が指定した領域を塗り潰す方法や，画像処理により特定された被験者の顔領域を塗り潰す方法などがある。
【００４３】
さらに，上記スレーブ端末３０から上記姿勢分析サーバー４０に送信する姿勢画像は，ＪＰＥＧ画像等，離散コサイン変換（ＤＣＴ）等を利用してデータサイズを圧縮した圧縮画像とするのが良い。
この場合には，送信する情報量を抑制して，姿勢画像を送信するのに要する時間を短縮することができる。
【００４４】
また，上記姿勢画像としては，１次元又は２次元のローパスフィルタを通過して得た画像を利用することもできる。
この場合には，上記離散コサイン変換によるデータ圧縮効率をさらに高くできる。さらに，姿勢画像のうち，空間周波数が高い顔領域の情報を抑制することで，被験者のプライバシーを保護するという効果を得ることができる。
【００４５】
上記属性情報入力手段３２は，スレーブ端末３０のオペレータである姿勢分析官が操作するキーボードを介して，被験者の体重や身長や年齢や性別等，属性に関わる情報を入力する手段である。
ここで，本例では，姿勢診断サーバー４０に送信する属性情報としては，スレーブ端末３０（同図）で入力された被験者の個人情報のうち，個人を特定し得る名前，住所，電話番号等，個人のプライバシーに関わる情報を除く情報としてある。
そして，本例では，各被験者の年齢，性別，体重，身長，職業等の各情報より，姿勢診断サーバー４０へ送信する属性情報を構成してある。
【００４６】
上記画像送信手段３１及び上記診断結果受信手段３４は，図２に示すごとく，周知のＴＣＰ／ＩＰプロトコルを利用して姿勢診断サーバー４０（図１）との間でデータを送信又は受信するための手段である。
本例のスレーブ端末３０は，まず，姿勢診断サーバー４０によりユーザＩＤの認証を受けた後，画像送信手段３１及び診断結果受信手段３４を介して，姿勢診断サーバー４０にアクセスするように構成してある。
【００４７】
なお，スレーブ端末３０に付与されるユーザＩＤは，本例の姿勢診断支援システム１の利用ユーザとして契約した使用者に付与されるＩＤである。
一方，利用ユーザが契約を終了した後には，該利用ユーザのユーザＩＤは無効となり，そのスレーブ端末３０から姿勢診断サーバー４０へのアクセスは制限されることになる。
【００４８】
画像送信手段３１は，図２に示すごとく，画像入力手段３３を介して接続したカメラ３３１で撮影して得た姿勢画像と，その被写体の属性を表す属性情報と，後述する抽出支援手段３７を用いて姿勢画像から抽出した姿勢情報とを姿勢診断サーバー４０（図１）に送信するように構成してある。
診断結果受信手段３４は，上記姿勢診断サーバー４０から診断結果を受信するように構成してある。
【００４９】
上記診断結果表示手段３５は，スレーブ端末３０に接続したＣＲＴ等のディスプレイ上に表示する表示ウィンドウを介して，姿勢分析官に上記診断結果を提示する手段である。
そのため，スレーブ端末３０を操作する姿勢分析官は，表示ウィンドウに表示された上記診断結果に基づいて，被験者を診断し，適切なアドバイスをすることができる。
【００５０】
上記カルテ管理手段３６は，図２に示すごとく，姿勢分析官が入力した被験者の個人情報を格納するローカルデータベース３６１を管理する機能を有している。
そして，このカルテ管理手段３６は，姿勢分析官が入力した検索条件に基づいてローカルデータベース３６１に格納した各種データを検索可能に構成してある。
【００５１】
ここで，本例のローカルデータベース３６１は，被験者ＩＤによって特定される個々の被験者について，姿勢画像及び診断結果，適用した治療内容の履歴等の個人情報データを格納するように構成してある。
このカルテ管理手段３６は，例えば，入力された被験者ＩＤによって特定される被験者の姿勢画像及び診断結果，適用した治療内容の履歴等の個人情報データを収集して，操作画面上に提示するように構成してある。
【００５２】
上記抽出支援手段３７（図２）は，姿勢画像を基にして上記姿勢情報を抽出する姿勢分析官の作業負担を低減するための手段である。
ここで，上記姿勢情報とは，肩，首，腰，膝等の各部位について，その状態（例えば，肩であれば右肩上がり等の状態，腰であれば左回旋等の状態）を表す情報をいう。
【００５３】
この抽出支援手段３７は，図５に示すごとく，スレーブ端末３０（図２）の操作画面３３０上の画像表示エリア３３５に表示した姿勢画像に，縦グリッド線３３２及び，横グリッド線３３１を重ね合わせて表示するように構成してある。
この抽出支援手段３７では，操作画面３３０上に表示された操作スイッチ３３３を，マウス等のポインティングデバイスを用いて操作することにより，縦グリッド線３３２の水平位置及び横グリッド線３３１の垂直位置を任意に設定できる。
また，画像表示エリア３３５は，選択スイッチ３３４の操作により，正面画像と背面画像と側面画像とを選択的に表示するように構成してある。
【００５４】
姿勢分析官は，例えば，図５に示すごとく，操作スイッチ３３３の操作により横グリッド線３３１を，被験者（図５では正面画像を表示。）の肩付近に移動させることができる。
そのため，姿勢分析官は，横グリッド線３３１を基準にして，被験者の肩の部分に右肩上がりや左肩あがり等の症状があるか否かを容易に判断できる。
【００５５】
本例の抽出支援手段３７を用いれば，姿勢分析官は，画像表示エリア３３５に表示する画像の選択と，縦グリッド線３３２或いは横グリッド線３３１の位置の調整とにより，首頭，肩，肋骨，腕，腰，骨盤，股，膝，足の各部についての状態，例えば，肩について右上がりとか左上がり等の状態を容易に判断することができる。
【００５６】
さらに，本例の抽出支援手段３７によれば，図５に示すごとく，操作画面３３０上において，項目３３６毎に設定した状態チェックボックス３３７を，適宜，選択することにより，姿勢診断サーバー４０に送信する姿勢情報を自動生成することができる。
ここで，同図に示す各項目３３６は，肩，首，腰等の各部位に対応して設定した項目である。そして，同図に示す状態チェックボックス３３７は，上記の各部位についての状態（例えば，肩であれば右上がりの状態や，左上がりの状態等）を表すチェックボックスである。
【００５７】
なお，上記の姿勢分析官による判断を支援するための方法としては，本例の抽出支援手段３７に限定されるものではない。
これに代えて，例えば，姿勢画像の左肩や右肩や右肘等の各部位の位置を，マウス等のポインティングデバイスを用いて順次，指定していき，その指定した座標位置を随時，記憶するように抽出支援手段を構成しても良い。
この場合には，各部位の座標位置を比較演算することにより，上記姿勢情報を生成することができる。
【００５８】
上記姿勢診断サーバー４０は，図３に示すごとく，データ受信手段４３，画像データベース４３１，診断データベース４５１，診断結果生成手段４５及び診断結果送信手段４４のほか，画像データベース４３１内のデータを検索する検索手段４７を有している。
該検索手段４７は，通信手段４７１を介して通信ネットワーク２０に接続してある。
【００５９】
上記データ受信手段４３は，スレーブ端末３０が送信する姿勢画像，姿勢情報及び属性情報を受信する手段である。
上記画像データベース４３１は，被験者の正面，側面，背面を撮影して得た３種類の姿勢画像を，上記属性情報及び上記姿勢情報と関連付けて格納するように構成してある。
さらに，本例の画像データベース４３１では，上記診断結果生成手段４５を用いて診断結果を生成した後，当該姿勢画像に関連付けて上記診断結果を格納するように構成してある。
【００６０】
上記診断データベース４５１は，上記姿勢情報に基づいて診断結果を生成するのに必要な知識である診断知識を格納したデータベースである。
つまり，この診断データベース４５１は，熟練した診断者の有する知識を体系的に構成したものである。
特に，本例の診断データベース４５１は，通信手段４６を介して外部の通信ネットワーク２０に接続してあり，外部からのアクセスにより格納した診断知識を編集可能なように構成してある。
【００６１】
ここで，上記診断知識の内容について説明する。本例の診断知識は，上記姿勢情報の項目（肩，首，腰等）の数に一致する次元を有する多次元マトリクス上の各マトリクス点毎に記述してなる知識である。
上記多次元マトリクス上におけるマトリクス点は，上記姿勢情報によって特定される各疾患状態を表している。そして，該各マトリクス点には，それぞれのマトリクス点が表す疾患状態に対して出力すべき診断結果を記述してある。
【００６２】
ここで，姿勢情報が肩と腰との２項目についての診断知識を，一例として，図６に示すごとく，説明する。
同図の診断知識の構成では，肩について右上がりと，左上がりと水平との３状態を想定し，腰について右回旋と，左回旋と，回旋なしとの３状態を想定している。
【００６３】
上記診断知識は，同図に示すごとく，肩及び腰の２項目からなる２次元マトリクス４００上に表現される。ここで，同図では，横軸に肩の状態を示し，横軸に腰の状態を示している。
そのため，図６に示すごとく，２次元マトリクス４００上には，肩についての右上がり，左上がり，傾斜なしの３状態と，腰についての右回旋，左回線，回旋なしの３状態とを組み合わせてなる９状態を表す９つのマトリクス点４１が形成される。
そして，この各マトリクス点４１には，それぞれが表現する各疾患状態に対応する診断結果４１０の内容を記述してある。
【００６４】
なお，上記姿勢情報を表す項目が多い場合には，診断知識を構成するマトリクスが多次元化し，上記診断知識が膨大なサイズとなるおそれがある。
この場合には，周知のエキスパートシステム等により上記診断結果を生成できるように，上記診断データベース４５１を構成することもできる。
エキスパートシステムによれば，断片的な知識の集合として構成した診断知識を基にして，総合的な診断結果を構築可能である。そのため，上記診断知識を効率良く構成して，小規模にすることができる。
さらに，上記のエキスパートシステムのほか，遺伝的アルゴリズムやニューラルネットワークなどによる人工知能的な手法により，上記診断結果を効率良く生成することも考えられる。
【００６５】
上記診断結果生成手段４５は，上記診断データベース４３１に格納した診断知識を参照して，診断結果を生成する手段である。
この診断結果生成手段４５は，上記診断データベース４３１に格納した診断知識の中から，姿勢情報に合致した疾患状態を選択し，該疾患状態に割り付けた診断結果を取得するように構成してある。
なお，この診断結果の内容については，後述する。
【００６６】
ここで，図６に示す診断知識の構成例にして，診断結果生成手段４５の動作について説明する。
例えば，姿勢画像と関連付けられた姿勢情報が，肩の「右上がり」と，腰の「左回旋」を表している場合には，診断結果生成手段４５は，同図中，９点のマトリクス点のうち中央のマトリクス点４１を選択し，このマトリクス点４１に記述された診断結果を取得するように構成してある。
【００６７】
上記診断結果送信手段４４は，診断結果生成手段４５が生成した上記診断結果をスレーブ端末３０に送信する手段である。
この診断結果送信手段４４は，スレーブ端末３０から受信した姿勢画像に対応して診断結果を返信するように構成してある。
【００６８】
上記検索手段４７は，画像データベース４３１内のデータを検索する手段であり，任意に設定した検索条件に基づいて画像データベース４３１内のデータを検索できるように構成してある。
なお，本例の画像データベース４３１では，上記のごとく，被験者の属性情報と姿勢情報と診断結果とを関連付けしてなる姿勢画像を格納してある。
【００６９】
そのため，本例の検索手段４７は，例えば，属性情報に基づいて検索条件を設定すれば，身長１７０ｃｍ以上の３０代の男性という検索条件に適合する姿勢画像及び被験者を検索可能である。
また，例えば，属性情報と姿勢情報とを組み合わせた検索条件によれば，身長１７０ｃｍ以上の３０代の男性で，右肩上がりの症状を呈する姿勢画像及び被験者を検索可能である。
またさらに，例えば，診断結果に基づいて検索条件を設定すれば，画像データベース４３１に格納したデータに基づいて，被験者の属性と，疾患症状との有意な相関関係を見出すことが可能になる。例えば，身長１７０ｃｍ以上の３０代の男性に多く見られる疾患症状の傾向等を調べることが可能になる。
【００７０】
さらに，本例の検索手段４７は，通信手段４７１を介して外部の通信ネットワーク２０に接続してある。
そのため，本例の検索手段４７は，外部の端末等から受信した検索条件に基づいて検索処理を実施し，検索したデータを外部に送信することができる。
【００７１】
本例の診断結果は，被験者の身体について問題のある部位の名称と，問題を解消するための運動療法のメニューとから構成した情報である。
上記問題のある部位としては，被験者の身体のなかで筋力が弱くなっている弱化筋，緊張状態にある緊張筋及び，「気」が滞留している等，問題のある経絡（身体のなかで「気（エネルギー）」の流れるルートであって，東洋医学において定義付けされる医学用語）の名称を特定する。
また，上記運動療法のメニューとしては，問題のある部位を改善するための運動の実施方法と，その実施回数等を特定する。
【００７２】
そして，上記姿勢診断サーバー４０は，上記診断結果送信手段４４を介して，弱化筋，緊張筋，問題のある経絡と，これらの問題箇所を改善するのに適切な運動療法のメニューとから構成した診断結果をスレーブ端末３０に出力するように構成してある。
なお，上記診断結果としては，弱化筋，緊張筋，経絡のほか，関節や腱などの部位に関する情報を含めることもできる。
さらになお，上記診断結果には，上記運動療法のメニューのほか，温熱療法や牽引療法など，適切な治療方法のメニューを含めることもできる。
【００７３】
上記管理端末５０は，図４に示すごとく，上記画像アクセス手段５１と，上記知識編集手段５２とを有してなる。
画像アクセス手段５１は，姿勢診断サーバー４０の検索手段４７に送信する検索条件を入力する検索条件入力手段５１１と，検索条件を姿勢診断サーバー４０に送信する検索条件送信手段５１２と，上記姿勢診断サーバー４０から検索条件に適合したデータを受信する検索データ受信手段５１３とを有してなる手段である。
【００７４】
検索条件入力手段５１１は，管理端末５０のオペレータである管理者が検索条件を任意に入力できるように構成した操作画面と，入力デバイスとしてのキーボード或いはマウスよりなる手段である。
検索条件送信手段５１２は，管理者が設定した検索条件を，外部の通信ネットワーク２０を介して姿勢診断サーバー４０に送信する手段である。
さらに，検索データ受信手段５１３は，姿勢診断サーバー４０の画像データベース４３１（図３）から検索されたデータを姿勢診断サーバー４０から受信する手段である。
ここで，本例の姿勢診断支援システム１では，セキュリティを確保するため，ＩＤ認証できたことを条件として，管理端末５０から姿勢診断サーバー３０へのアクセスを可能としてある。
【００７５】
なお，本例の管理端末５０は，図１に示すごとく，姿勢診断サーバー３０から受信した検索データを，管理者が自由に閲覧できるように構成してある。
さらに，この管理端末５０は，受信した検索データを自己の記憶手段（図示略）に格納し，自己の検索手段を用いて適宜，検索できるように構成してある。
【００７６】
なお，本例の姿勢診断支援システム１では，管理端末５０にインストールした専用ソフトにより上記画像アクセス手段５１を構成してある。
これに代えて，姿勢診断サーバー４０をＷｅｂサーバーとして構成すると共に，管理端末５０に汎用のインターネットブラウザーソフトをインストールすることもできる。
この場合には，管理端末５０を操作して，画像データベース４３１にリンクするホームページ（ＨＴＭＬ）にアクセスし，画像データベース４３１の情報を参照することができる。
【００７７】
知識編集手段５２は，図７に示すごとく，上記姿勢分析サーバー４０の診断データベース４５１（図３）に格納した診断知識を遠隔的に編集する手段である。
この知識編集手段５２は，管理者が操作する操作画面５００を有してなる。該操作画面５００は，同図に示すごとく，選択部５１と，編集表示部５２とよりなる。
【００７８】
選択部５１は，肩や腰など各部位に対応する項目５１６と，各項目５１６の状態（肩についての右上がり，腰についての右回旋など）を表す状態チェックボックス５１７とを配置してなる。
編集表示部５２は，表示エリア５２１を配置してなり，該表示エリア５２１には，選択部５１において特定される疾患状態に対応する診断結果を，編集可能な状態で表示するように構成してある。
【００７９】
管理端末５０のオペレータ（管理者）は，図７に示すごとく，姿勢診断サーバー４０の診断知識を編集するに当たっては，まず，選択部５１の状態チェックボックス５１７を適宜，チェックして，編集したい疾患状態を特定する。
そうすると，姿勢診断サーバー４０の診断データベース４５１（図３）の中で，特定した疾患状態に対応して記述した診断結果を，通信手段４６を介してダウンロードできる。
そして，上記管理者は，上記表示エリア５２１に表示された診断結果の内容を加筆，修正した後，修正後の診断結果をアップロードすることにより，姿勢診断サーバー４０の診断データベース４５１（図３）の内容を更新することができる。
【００８０】
以上の操作によれば，管理端末５０からの遠隔操作により，姿勢診断サーバー４０の診断データベース４５１の診断知識を随時，変更することができる。
そして，本例の姿勢診断支援システム１では，診断データベース４５１の診断知識を更新すると，各スレーブ端末３０に送信する診断結果の内容を，直ちに最新の内容に修正することができる。
【００８１】
特に，本例の身体の姿勢診断支援システム１は，図１に示すごとく，管理端末５０は，姿勢画像を蓄積する画像データベース４３１（図３）にアクセス可能なように構成してある。
そのため，管理端末５０によれば，多数の姿勢画像を解析することで，診断内容の精度を向上できると共に，診断に関する新たな知見を獲得できる可能性がある。
【００８２】
なお，本例では，管理端末５０と姿勢診断サーバー４０とは，公衆回線よりなる通信ネットワーク２０によって接続したが，これに代えて，両者を，より高速な専用回線によって接続することもできる。
この場合には，姿勢診断サーバー４０の画像データベース４３１から管理端末５０への，上記姿勢画像の送信に要する時間をさらに短縮することができる。
【００８３】
（実施例２）
本例では，実施例１の身体の姿勢診断支援システムを基にして，上記姿勢情報の抽出方法を変更した例である。本例の内容について，図７〜図９を用いて説明する。
本例の姿勢診断サーバーは，画像処理手段を有してなる。そして，本例の身体の姿勢診断支援システムは，この画像処理手段を用いて，姿勢画像から姿勢情報の抽出を自動的に実施するように構成してある。
【００８４】
本例のスレーブ端末では，図７に示すごとく，被験者３８の各関節の位置にマーキング３９となる円形白色のシールを貼付した状態で，被験者３８の姿勢画像を撮影する。
そして，上記スレーブ端末は，このマーキング３９付きの姿勢画像３９０を上記姿勢診断サーバーに送信するように構成してある。
【００８５】
上記画像処理手段は，上記マーキング３９付きの姿勢画像３９０を画像処理することにより，実施例１と同様の姿勢情報を生成するように構成してある。
ここで，この画像処理手段による画像処理内容について，図８に示すフローチャートに沿って説明する。
【００８６】
まず，ステップＳ１１０では，同図に示すごとく，デジタル画像データとしての上記姿勢画像３９０（図７）を，姿勢診断サーバーの記憶手段に格納する。
そして，ステップＳ１２０では，上記姿勢画像３９０の各画素について，画素輝度と所定のしきい値との比較による２値化処理を実施する。
【００８７】
このステップでは，円形白色であって周囲よりも明るい領域として撮影された上記姿勢画像３９０中のマーキング３９（図７）の領域を形成する画素を，上記２値化処理によって検出する。
そして，図９に示すごとく，マーキング３９の領域を形成する画素を画素値１として，それ以外の画素を画素値ゼロとして表した２値画像３９１（図では，画素値１を黒で示してある。）を形成する。
なお，ここで，２値化処理とは，画像を構成する各画素の画素輝度と，しきい値との大小を比較し，しきい値よりも画素輝度が大きい場合には１を，小さい場合にはゼロを各画素の値（画素値）として割り付ける処理である。
また，なお，図９では，２値画像３９１が有する情報ではないが，参考のため，被験者の輪郭を点線により示してある。
【００８８】
その後，ステップＳ１３０では，図９に示すごとく，上記２値化処理によって検出したマーキング３９について，左右の肩の位置に貼付したマーキング等，対応関係にあるマーキング領域の位置を比較することにより，右肩上がり，左肩上がり等の上記姿勢情報を抽出する。
なお，その他の構成及び作用効果については実施例１と同様である。
【００８９】
また，上記スレーブ端末において，上記スリット光を投影してなる姿勢画像を撮影することもできる。この場合には，スリット光付きの姿勢画像を画像処理し，写り込んだスリット光の形状を把握することで，上記姿勢情報を抽出することが可能になる。
【００９０】
さらに，位置をずらして設置した２台又は３台のカメラを用いて，２枚又は３枚一組のステレオ画像を撮影するようにスレーブ端末を構成することもできる。この場合には，姿勢診断サーバーでは，画像処理手法の１つであるステレオ視処理を用いて，上記ステレオ画像から被験者の立体的な情報を復元し，該立体的な情報に基づいて上記姿勢情報を自動生成することもできる。
【００９１】
（実施例３）
本例は，実施例１を基にして，診断結果を生成する機能を，スレーブ端末に備えた例である。本例の内容について，図１１を用いて説明する。
本例のスレーブ端末は，実施例１で示した手段に加えて，診断結果を生成する診断結果生成手段と，診断結果を生成するための診断知識を格納した診断データベースと，姿勢診断サーバーから更新データを受信する更新データ受信手段とを有してなる。
本例の姿勢診断サーバーは，実施例１に示した手段のうち，診断結果生成手段と診断データベースとに代えて，スレーブ端末の診断知識を更新するための更新データを送信する更新データ送信手段を有してなる。
本例の管理端末は，実施例１に示した手段のうち，知識編集手段に代えて，上記更新データを編集するための更新データ編集手段を有してなる。
【００９２】
ここで，スレーブ端末の上記診断結果生成手段及び上記診断データベースは，それぞれ，実施例１と同様の機能を有してなる。
また，上記更新データは，旧バージョンの診断知識と，更新後の診断知識との差分を表すデータである。
【００９３】
本例の管理端末は，図１１に示すごとく，操作画面７００を有する更新データ編集手段を有している。
この更新データ編集手段は，上記姿勢分析サーバーに格納した診断知識と，最新の診断知識との差分である更新データを生成し，該更新データを姿勢分析サーバーに送信する手段である。
この更新データ編集手段の操作画面７００は，同図に示すごとく，特定の疾患状態を選択する選択部７１と，選択された疾患状態に対応する診断結果を編集可能な状態で表示する編集表示部７２と，各疾患状態の診断結果の編集内容を記憶する保存スイッチ７３と，作業終了時に更新データを生成する終了スイッチ７４とを有してなる。
【００９４】
選択部７１は，肩や腰など各部位に対応する項目７１６と，各項目７１６の状態（肩についての右上がり，腰についての右回旋など）を表す状態チェックボックス７１７とを配置してなる。
編集表示部７２は，表示エリア７２１を配置してなり，該表示エリア７２１には，選択部７１において特定される疾患状態に対応する診断結果を，編集可能な状態で表示するように構成してある。
【００９５】
管理端末のオペレータ（管理者）は，図１１に示すごとく，更新データを編集するに当たっては，まず，選択部７１の状態チェックボックス７１７を適宜，チェックして，編集したい疾患状態を特定する。
そうすると，姿勢診断サーバーから診断知識をダウンロードでき，上記表示エリア７２１には，上記特定された疾患状態に対応する診断結果を表示させることができる。
そして，上記管理者は，上記表示エリア７２１に表示された診断結果の内容を加筆，修正した後，保存スイッチ７３を選択して，その修正内容を保存する。
【００９６】
管理者は，診断結果を更新する疾患状態ごとに上記の操作を実施したあと，終了スイッチ７４を選択する。
そうすると，管理端末は，姿勢診断サーバーからダウンロードした診断知識と，編集後の診断知識との比較に基づいて上記更新データを生成する。そして，該更新データを上記姿勢診断サーバーに送信する。
【００９７】
一方，上記姿勢診断サーバーの上記更新データ送信手段は，上記更新データを格納すると共に，上記各スレーブ端末に対して適切な更新データを送信するように構成してある。
特に，本例の姿勢診断サーバーは，スレーブ端末との通信状態を確立した際，当該スレーブ端末に格納されている診断知識のバージョンを参照するように構成してある。
そして，姿勢診断サーバーの更新データ送信手段は，各スレーブ端末が有する診断知識のバージョンに応じて，適切な更新データを選択して送信するように構成してある。
一方，上記スレーブ端末は，受信した上記更新データに基づいて，上記診断データベースに格納した上記診断知識を最新のものに更新するように構成してある。
【００９８】
なお，上記姿勢診断サーバーから上記診断知識をダウンロードする構成に代えて，姿勢診断サーバー上の診断知識を直接，編集するように上記更新データ編集手段を構成することもできる。この場合には，併せて，上記姿勢診断サーバーにおいて，上記更新データを生成するように構成するのが良い。
また，上記更新データは，ＣＤ−ＲＯＭに格納した状態で，各スレーブ端末を操作する姿勢分析官に配布することもできる。
【００９９】
さらに，なお，上記姿勢診断サーバーから上記診断知識をダウンロードする構成に代えて，上記管理端末に上記診断知識を格納しておくこともできる。
この場合には，上記管理端末上で，上記診断知識のマスターバージョンを一元的に管理することができる。
【０１００】
また，上記姿勢診断サーバーとの間でユーザＩＤを認証できたときのみ，上記診断結果生成手段が動作するように上記各スレーブ端末を構成することもできる。
或いは，本例の姿勢診断システムのユーザ契約を交わしたユーザーにのみ，ハードウェアキーデバイスを貸与するようにしても良い。
この場合には，該ハードウェアキーデバイスをプリンタポートに接続した場合にのみ，上記診断結果生成手段が動作するようにスレーブ端末を構成することができる。
さらに，上記スレーブ端末から上記姿勢診断サーバーに上記姿勢画像等を送信した場合にのみ，それに引き替えて，上記診断結果生成手段の動作を許可する許可信号が上記各スレーブ端末に返送されるように構成することもできる。
【０１０１】
さらに，上記診断データベースに格納した診断知識に対しては，暗号処理を施すことが好ましい。
この場合には，診断ノウハウとしての上記診断知識の漏洩を防止することができる。
なお，その他の構成及び作用効果については実施例１と同様である。
【図面の簡単な説明】
【図１】実施例１における，身体の姿勢診断支援システムの構成を示すシステム図。
【図２】実施例１における，スレーブ端末の構成を示すブロック図。
【図３】実施例１における，姿勢診断サーバーの構成を示すブロック図。
【図４】実施例１における，管理端末の構成を示すブロック図。
【図５】実施例１における，スレーブ端末に表示する操作画面の一部を示す説明図。
【図６】実施例１における，姿勢診断サーバーの診断データベースに格納する診断知識の構成を示す説明図。
【図７】実施例１における，管理端末に表示する操作画面の一部を示す説明図。
【図８】実施例２における，マーキング付きの姿勢画像を示す説明図。
【図９】実施例２における，画像処理フローを説明するフローチャート図。
【図１０】実施例２における，２値化処理画像を示す説明図。
【図１１】実施例３における，管理端末に表示する操作画面の一部を示す説明図。
【符号の説明】
１．．．身体の姿勢診断支援システム，
２０．．．通信ネットワーク，
３０．．．スレーブ端末，
３３１．．．カメラ，
４０．．．姿勢診断サーバー，
４３１．．．画像データベース，
４５１．．．診断データベース，
５０．．．管理端末，
【図１】
2005000301.tif 000003
【図２】
2005000301.tif 000004
【図３】
2005000301.tif 000005
【図４】
2005000301.tif 000006
【図５】
2005000301.tif 000007
【図６】
2005000301.tif 000008
【図７】
2005000301.tif 000009
【図８】
2005000301.tif 000010
【図９】
2005000301.tif 000011
【図１０】
2005000301.tif 000012
【図１１】
2005000301.tif 000013